(57)【要約】【課題】美観を損ねず、より少ない工数により施工でき、かつ人の存在を検知できるセンサ型床被覆材及び床被覆材システムを提供する。【解決手段】センサ型床被覆材は、可撓性材料により形成される基底部と、基底部の表面に設けられる化粧部と、基底部の側面部に設けられる接続コネクタと、人の重みにより人の存在を検知するセンサと、接続コネクタとセンサとを接続する接続線と、を備える。接続コネクタは、床被覆材の凸型コネクタ又は凹型コネクタと接続する。【選択図】図１１
2015178712.tif 000002
【特許請求の範囲】
【請求項１】
可撓性材料により形成される基底部と、
前記基底部の表面に設けられる化粧部と、
前記基底部の側面部に設けられる接続コネクタと、
人の重みにより人の存在を検知するセンサと、
前記接続コネクタと前記センサとを接続する接続線と、
を備えるセンサ型床被覆材。
【請求項２】
前記接続コネクタは、
可撓性材料により形成される基底部と、前記基底部の表面に設けられる化粧部と、前記基底部の第１の側面に設けられる凸型コネクタと、前記基底部の前記第１の側面とは異なる第２の側面に設けられる凹型コネクタと、前記基底部の前記化粧部に面する面と対向する面に設けられる溝部と、前記溝部に配置され、前記凸型コネクタと前記凹型コネクタとを接続する配線と、を備える床被覆材の前記凸型コネクタ又は前記凹型コネクタと接続する請求項１記載のセンサ型床被覆材。
【請求項３】
可撓性材料により形成される基底部と、前記基底部の表面に設けられる化粧部と、前記基底部の側面部に設けられる接続コネクタと、人の重みにより人の存在を検知するセンサと、前記接続コネクタと前記センサとを接続する接続線と、を備えるセンサ型床被覆材と、
空調を制御する空調制御部と、
照明を制御する照明制御部と、
一定時間間隔ごとに単位区画ごとに前記センサ型床被覆材によって検知した人数を算出し、算出した前記人数が閾値未満の場合、その区画の空調を停止するように前記空調制御部に制御信号を送信し、その区画の照明を消灯するように前記照明制御部に制御信号を送信する制御部と、
を備える床被覆材システム。
【発明の詳細な説明】
【技術分野】
【０００１】
本発明の実施形態は、床被覆材に関する。
【背景技術】
【０００２】
オフィスの内部には多くの電子機器があり、これらの配線は通常ＯＡフロアの下部において行われる。すなわち、ＯＡフロアは人や物が乗る天板部と、天板部を指示する支柱と、を備えており、電子機器の配線は天板部の下部に這わせて行われる。
【０００３】
しかし、このＯＡフロアは設置コストが高いという難点がある。また、人が着席していることが分かれば室内の空調や照明を調節でき、節電に寄与することができるが、従来のＯＡフロアでは人の存在を検知できない。
【０００４】
設置コストを安くするには、床にケーブル類を収容するモールを敷設して配線する方法がある。
【０００５】
しかし、この方法は美観がよくなく、歩行する際につまずきやすいという難点がある。
【０００６】
この点に関し、内部にケーブル類を収容する切り欠き部を有するカーペットが提案されている。
【０００７】
しかし、このカーペットはケーブル類をうまく収容するには技能が必要であり、工数がかかる。また、このカーペットによっては人の存在を検知できない。
【先行技術文献】
【特許文献】
【０００８】
【特許文献１】特開昭６３−２２３２５６号公報
【発明の概要】
【発明が解決しようとする課題】
【０００９】
従って、美観を損ねず、より少ない工数により施工でき、かつ人の存在を検知できるセンサ型床被覆材及び床被覆材システムが求められている。
【課題を解決するための手段】
【００１０】
上記の課題を解決するために、本発明の一実施形態は、可撓性材料により形成される基底部と、基底部の表面に設けられる化粧部と、基底部の側面部に設けられる接続コネクタと、人の重みにより人の存在を検知するセンサと、接続コネクタとセンサとを接続する接続線と、を備えるセンサ型床被覆材を提供する。
【図面の簡単な説明】
【００１１】
【図１】床被覆材の正面斜視図である。
【図２】床被覆材の背面斜視図である。
【図３】床被覆材の配線の様子を示す平面図である。
【図４】床被覆材の図１におけるＡＡ線断面図である。
【図５】配線を曲げるための分岐用床被覆材の配線を示す平面図である。
【図６】応用例に係る床被覆材の側面図である。
【図７】アジャスターシートを取り外した様子を示す側面図である。
【図８】アジャスターシートを付け加えた様子を示す側面図である。
【図９】コネクタ型床被覆材の外観斜視図である。
【図１０】床被覆材の使用例を示す図である。
【図１１】センサ型床被覆材の構成を示す透視斜視図である。
【図１２】センサ型床被覆材のセンサ部付近の側面断面図である。
【図１３】センサ型床被覆材の使用例を示す図である。
【図１４】床被覆材システムの構成を示すブロック図である。
【発明を実施するための形態】
【００１２】
以下、センサ型床被覆材及び床被覆材システムの一実施形態について、図面を用いて詳細に説明する。
【００１３】
本実施形態のセンサ型床被覆材は、可撓性材料により形成される基底部と、基底部の表面に設けられる化粧部と、基底部の側面部に設けられる接続コネクタと、人の重みにより人の存在を検知するセンサと、接続コネクタとセンサとを接続する接続線と、を備える。
【００１４】
図１は、床被覆材１の正面斜視図である。図２は、床被覆材１の背面斜視図である。図３は、床被覆材１の配線の様子を示す平面図である。図４は、床被覆材１の図１におけるＡＡ線断面図である。
【００１５】
図１乃至図４に示すように、床被覆材１は、可撓性材料により形成される基底部１２と、基底部１２の表面に設けられる化粧部１１と、基底部１２の第１の側面部に設けられる凸型コネクタ１３と、基底部１２の第１の側面とは異なる第２の側面に設けられる凹型コネクタ１４と、基底部１２の化粧部１１に面する面と対向する面に設けられる溝部１７と、溝部１７に配置され、凸型コネクタ１３と凹型コネクタ１４とを接続し、基底部１２の底面に平行に一段に並列配置される複数の配線１５と、を備える。
【００１６】
基底部１２を形成する可撓性材料は例えばウレタンを用いることができる。
【００１７】
化粧部１１は、例えばナイロン製絨毯を用いることができる。
【００１８】
凸型コネクタ１３及び凹型コネクタ１４は導電性の金属によって形成される。凸型コネクタ１３と凹型コネクタ１４とはそれぞれ基底部１２の対応する位置に設置される。
【００１９】
配線１５は、例えばＬＡＮケール、電話線、電源線などが挙げられるがこれに限られるものではない。配線１５は、外周を可撓性材料によって形成されるシール材１６によって被覆された、いわゆるフラットケーブルであることが床被覆材１を薄くする点において望ましい。
【００２０】
溝部１７は基底部１２を貫通しない深さに設けられる。
【００２１】
床被覆材１の使用方法は次のように行う。まず１枚目の床被覆材１を床に敷設する、次に２枚目の床被覆材１を、１枚目の床被覆材１の凸型コネクタ１３と２枚目の凹型コネクタ１４とを連結させて敷設する。以降同様に凸型コネクタ１３と凹型コネクタ１４とを連結させながら敷設する。
【００２２】
従って、床被覆材１によればカーペットの敷設と配線とが一つの工程によって行うことが可能となる。
【００２３】
図５は、配線を曲げるための分岐用床被覆材２の配線を示す平面図である。図５に示すように、分岐用床被覆材２は、可撓性材料により形成される基底部１２と、基底部１２の表面に設けられる化粧部１１と、基底部１２の第１の側面部に設けられる凸型コネクタ１３と、基底部１２の第１の側面と隣接する第２の側面に設けられる凹型コネクタ１４と、基底部１２に設けられ、凸型コネクタ１３と凹型コネクタ１４とを接続する配線１５と、を備える。
【００２４】
分岐用床被覆材２は、予め基底部１２に直線方向及び直角方向に延びる溝部１７を設けておき、必要に応じて配線１５を直線方向に設けたり、直角方向に曲げて設けたりすることもできる。
【００２５】
分岐用床被覆材２は、さらにさまざまな形状のものを設けることができる。例えば、４本の配線１５が順に分岐するように長方形のものを形成することもできる。また、床被覆材１及び分岐用床被覆材２は、床の形状に応じて切断して用いることも可能である。
【００２６】
分岐用床被覆材２に用いられる分岐用の配線１５は、カーブの外側に行くほど長さが長い。すなわち、分岐用の配線１５はカーブの外側に位置するほど曲率半径が大きくなるように設置される。従って、配線１５は分岐のために曲げられてもフラットな形状を維持することができる。
【００２７】
図６は、応用例に係る床被覆材１の側面図である。図６に示すように、床被覆材１は基底部１２の端部に設けられる切り欠き部２１に着脱可能に設けられるアジャスターシート２２を備える。
【００２８】
図６においては、既存の薄型カーペット３の高さより床被覆材１の高さが高い場合を図示している。
【００２９】
図７は、アジャスターシート２２を取り外した様子を示す側面図である。図７に示すように、床被覆材１からアジャスターシート２２を取り除けば、既存の薄型カーペット３との段差をなくすことができる。
【００３０】
図８は、アジャスターシート２２を付け加えた様子を示す側面図である。図８に示すように、床被覆材１にアジャスターシート２２を付け加えれば、既存の厚型カーペット４との段差をなくすことができる。
【００３１】
図９は、コネクタ型床被覆材５の外観斜視図である。図９に示すように、コネクタ型床被覆材５は、床被覆材１又は分岐用床被覆材２の凸型コネクタ１３又は凹型コネクタ１４に代えて配線ケーブル類５２を接続するコネクタ部５１を有する。
【００３２】
このコネクタ型床被覆材５を配線の端部に使用すれば、通常のケーブル類に接続することが可能となる。
【００３３】
図１０は、床被覆材１の使用例を示す図である。図１０に示すように、床被覆材１、分岐用床被覆材２、及びコネクタ型床被覆材５を適宜組み合わせて使用することにより美観に優れた床を短期間に施工することが可能となる。
【００３４】
図１１は、センサ型床被覆材６の構成を示す透視斜視図である。図１２は、センサ型床被覆材６のセンサ１１０１付近の側面断面図である。
【００３５】
図１１及び図１２（Ａ）に示すように、センサ型床被覆材６は、可撓性材料により形成される基底部１２と、基底部１２の表面に設けられる化粧部１１と、基底部１２の側面部に設けられる接続コネクタ１８と、人の重みにより人の存在を検知するセンサ１１０１と、接続コネクタ１８とセンサ１１０１とを接続する接続線１１０２と、を備える。
【００３６】
接続コネクタ１８は凸型コネクタ１３又は凹型コネクタ１４に接続可能な形状をなす。
【００３７】
図１２（Ｂ）は、人の重さによりセンサ１１０１が導通する様子を示す図である。図１２（Ｂ）に示すように、各センサ１１０１は、例えば積層される基底部１２の可倒性材料の間に設けられる。センサ１１０１は、一対の離間する導通部を備え、人の重みによりこの導通部が接触し、通電する。従って、通電の有無により人の存在を検知することが可能となる。
【００３８】
図１３は、センサ型床被覆材６の使用例を示す図である。図１３に示すように、センサ型床被覆材６は、各席の椅子の下に敷設される。センサ型床被覆材６は、床被覆材１、分岐用床被覆材２、及びコネクタ型床被覆材５を介してコントローラ１３０１に接続される。
【００３９】
コントローラ１３０１は、センサ型床被覆材６のセンサ１１０１が検知した人の人数、位置に応じて空調１３０２及び照明１３０３を制御する。
【００４０】
図１４は、床被覆材システムの構成を示すブロック図である。図１４に示すように、床被覆材システムは、コントローラ１３０１と、センサ型床被覆材６と、空調１３０２を制御する空調制御部１３０２Ａと、照明１３０３を制御する照明制御部１３０３Ａと、を備える。
【００４１】
コントローラ１３０１は、演算装置であるＣＰＵを含む制御部３０１と、メモリ等の記憶装置を含む記憶部３０２と、通信を行う通信部３０３と、を備える。
【００４２】
記憶部３０２は、フロアの単位区画ごとの人数の閾値３０２Ａを格納する。
【００４３】
制御部３０１は、一定時間間隔ごとに単位区画ごとにセンサ型床被覆材６によって検知した人数を算出する。
【００４４】
制御部３０１は、算出した人数と閾値３０２Ａとを比較し、算出した人数が閾値３０２Ａ未満の場合、その区画の空調１３０２を停止するように空調制御部１３０２Ａに制御信号を送信し、照明１３０３を消灯するように照明制御部１３０３Ａに制御信号を送信する。
【００４５】
以上述べたように、本実施形態のセンサ型床被覆材６は、可撓性材料により形成される基底部１２と、基底部１２の表面に設けられる化粧部１１と、基底部１２の側面部に設けられる接続コネクタ１８と、人の重みにより人の存在を検知するセンサ１１０１と、接続コネクタ１８とセンサ１１０１とを接続する接続線１１０２と、を備える。
【００４６】
従って、美観を損ねず、より少ない工数によりオフィス用床を施工でき、かつ人の存在を検知できるという効果がある。
【００４７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１１  化粧部
１２  基底部
１３  凸型コネクタ
１４  凹型コネクタ
１５  配線
１８  接続コネクタ
１１０１  センサ
１１０２  接続線
【図１】
2015178712.tif 000003
【図２】
2015178712.tif 000004
【図３】
2015178712.tif 000005
【図４】
2015178712.tif 000006
【図５】
2015178712.tif 000007
【図６】
2015178712.tif 000008
【図７】
2015178712.tif 000009
【図８】
2015178712.tif 000010
【図９】
2015178712.tif 000011
【図１０】
2015178712.tif 000012
【図１１】
2015178712.tif 000013
【図１２】
2015178712.tif 000014
【図１３】
2015178712.tif 000015
【図１４】
2015178712.tif 000016
【手続補正書】
【提出日】平成27年2月16日(2015.2.16)
【手続補正２】
【補正対象書類名】明細書
【補正対象項目名】００１０
【補正方法】変更
【補正の内容】
【００１０】
上記の課題を解決するために、本発明の一実施形態は、可撓性材料により形成される基底部と、前記基底部の表面に設けられる化粧部と、前記基底部の側面部に設けられる接続コネクタと、人の重みにより人の存在を検知するセンサと、前記接続コネクタと前記センサとを接続する接続線と、を備えるセンサ型床被覆材と、空調を制御する空調制御部と、照明を制御する照明制御部と、一定時間間隔ごとにフロアの単位区画ごとに前記センサ型床被覆材によって検知した人数を算出し、算出した前記人数が閾値未満の場合、その区画の空調を停止するように前記空調制御部に制御信号を送信し、その区画の照明を消灯するように前記照明制御部に制御信号を送信する制御部と、を備える床被覆材システムを提供する。
【手続補正３】
【補正対象書類名】特許請求の範囲
【補正対象項目名】全文
【補正方法】変更
【補正の内容】
【特許請求の範囲】
【請求項１】
可撓性材料により形成される基底部と、前記基底部の表面に設けられる化粧部と、前記基底部の側面部に設けられる接続コネクタと、人の重みにより人の存在を検知するセンサと、前記接続コネクタと前記センサとを接続する接続線と、を備えるセンサ型床被覆材と、
空調を制御する空調制御部と、
照明を制御する照明制御部と、
一定時間間隔ごとにフロアの単位区画ごとに前記センサ型床被覆材によって検知した人数を算出し、算出した前記人数が閾値未満の場合、その区画の空調を停止するように前記空調制御部に制御信号を送信し、その区画の照明を消灯するように前記照明制御部に制御信号を送信する制御部と、
を備える床被覆材システム。